(57)【要約】【課題】　導光板における光の利用効率を高める。【解決手段】　少なくとも一つの側面を入射面１１とし、該入射面１１に直交する矩形の出射面１２と、該出射面１２に内向する反射面１３とを有し、反射面１３は、入射面１１又は出射面１２から、出射面１２の法線に対してある角度を成して入射する光線を受け、前記法線との成す角度が減少した光線を出射する偏向パターンを有し、該偏向パターンは、複数の同心円上に形成された複数の円弧状偏向パターン素子を有するものであり、出射面１２は、該出射面１２の法線に対して所定角度以下の角度を成して偏向パターンから入射する光線を拡散して透過する異方性拡散パターンを有し、該異方性拡散パターンは、偏向パターンから入射する光線を前記同心円の円弧の半径方向への拡散幅よりも、該半径方向と直交する方向への拡散幅が大きくなるように拡散するものであり、前記同心円の中心は、導光板１０のいずれかの側面上又はその近傍に位置する。【選択図】　図１
2004111384.tif 000002
【特許請求の範囲】
【請求項１】
　側面に入射面を有し、上面又は下面に出射面を有する導光板にして、
　前記出射面と対向する面に設けられ、前記導光板の出射面の法線に対してある角度を成して前記入射面又は出射面から入射する光線を受け、前記法線との成す角度が減少した光線を出射する偏向パターンであって、複数の同心円に沿ってそれぞれ形成された複数の円弧状偏向パターン素子を有する偏向パターンと、
　前記出射面に設けられ、前記偏向パターンからの光線であって、前記出射面の法線に対して所定角度以上の角度を成す光線を、前記同心円の円弧の半径方向に比較して円周方向へ大きく拡散して透過する異方性拡散パターンと、
　を有する導光板。
【請求項２】
　各偏向パターン素子は、円弧状溝又は円弧状隆起部を有する請求項１記載の導光板。
【請求項３】
　各偏向パターン素子は、円弧状傾斜面を有する請求項１記載の導光板。
【請求項４】
　前記偏向パターンは、複数の同心円に沿ってそれぞれ形成された複数の円弧状傾斜面を備える請求項１記載の導光板。
【請求項５】
　前記円弧状傾斜面は、円弧状の溝又は隆起部に設けられる請求項４記載の導光板。
【請求項６】
　前記異方性拡散パターンは、サーフェスレリーフホログラムを有する請求項１記載の導光板。
【請求項７】
　導光板は、概略矩形の形状を有し、複数の同心円の中心は、矩形の頂点又はその近傍に位置する請求項１記載の導光板。
【請求項８】
　導光板は、概略矩形の形状の頂点に、入射面としての切欠面を有する請求項１記載の導光板。
【請求項９】
　前記入射面は、円筒形状を有する請求項８記載の導光板。
【請求項１０】
　バックライト装置にして、
　請求項１記載の導光板と、
　複数の同心円に沿ってそれぞれ形成された複数の屈折面を有するプリズムフィルムであって、各屈折面は、前記出射面からの光線を、前記出射面の法線方向へ偏向するプリズムフィルムと、
　を有するバックライト装置。
【請求項１１】
　請求項１０のバックライト装置にして、請求項７の導光板の頂点又はその近傍に実質的に一つの発光点を有するバックライト装置。
【請求項１２】
　請求項１１のバックライト装置にして、実質的に一つの発光点は、一つのＬＥＤからなるバックライト装置。
【請求項１３】
　複数の同心円に沿ってそれぞれ形成された複数の円形反射溝を備える反射面と、
　前記各円形反射溝からの反射光を、前記同心円の半径方向に比べて円周方向へ大きく拡散して透過するサーフェスレリーフホログラムを一体的に成形した出射面と、
　を有する導光板。
【請求項１４】
　前記円形反射溝は、途切れることのない連続溝から成り、前記反射溝は、光源を向く円弧状傾斜面を有する請求項１又は１３記載の導光板。
【請求項１５】
　前記円弧状傾斜面側の導光板平面に対する傾斜角度α１は、側面の入射面から入力された光が上下面で所定回数反射された後、出射面に対する光線の入射角が臨界角以下となることにより、出射面から出射される様に、０．５度〜５度である請求項５又は１４記載の導光板。
【請求項１６】
　拡散光の光束の縦横比は、１：１８０〜１：３の範囲にある請求項１又は１３記載の導光板。
【請求項１７】
　前記サーフェスレリーフホログラムは、同心円の半径方向に長い線状の複数のランダムスペックル領域を有する請求項１又は１３記載の導光板。
【請求項１８】
　前記導光板は、前記拡散して透過された光を導光板平面の法線方向へ偏向するプリズムシートを更に有する請求項１又は１３記載の導光板。
【請求項１９】
　一つの頂点近傍に形成された入射面からの光が入射され、この光を出射面から出射する板状の導光板において、
　前記出射面に対向する面に形成され、前記入射面に入射された光を前記出射面に反射する、前記頂点近傍を中心とする円周に沿って連続した反射溝と、
　前記出射面に形成され、前記反射溝で反射された光を前記円周の半径方向に比べて円周方向に大きく拡散するディフューザと、
　を有する導光板。
【請求項２０】
　前記ディフューザは、前記円周の径方向を長手方向とする複数のスペックルを有するホログラムである請求項１９記載の導光板。
【請求項２１】
　前記入射面は、出射面に直交する法線方向を軸とする円筒形状に成形されている請求項１９記載の導光板。
【請求項２２】
　請求項２１に記載の導光板を有するバックライト装置にして、光源の発光点と導光板の入射面との間の距離が０．３５ｍｍ以下にされたバックライト装置。
【請求項２３】
　出射面と、該出射面に対向する反射面とを有する矩形の導光板であって、
　前記反射面は、複数の同心円状に配置された途切れることのない連続傾斜面を有し、前記傾斜面の反射面に対する傾斜角度α１が４０〜５０度であり、前記同心円の中心は、前記導光板の矩形の一つの頂点又はその近傍に位置し、前記出射面は、該出射面の法線に対して所定角度以下の角度を成して前記傾斜面で反射された光線を拡散して透過する異方性拡散パターンを有し、該異方性拡散パターンは、前記傾斜面で反射された光線を前記同心円の円弧の半径方向への拡散幅よりも、該半径方向と直交する方向への拡散幅が大きくなるように拡散するものであることを特徴とする導光板。
【請求項２４】
　前記反射面において、前記傾斜面と前記傾斜面の間に平面部を有する請求項２３記載の導光板。
【請求項２５】
　発光点から遠くなるに従って前記傾斜面のピッチが小さくなる請求項２３記載の導光板。
【請求項２６】
　前記異方性拡散パターンは、サーフェスレリーフホログラムを有する請求項２３記載の導光板。
【請求項２７】
　前記サーフェスレリーフホログラムは、同心円の半径方向に長い線状の複数のランダムスペックル領域を有する請求項２６記載の導光板。
【請求項２８】
　請求項２３乃至２７記載の導光板を用いたバックライト装置。
【請求項２９】
　請求項２８記載のバックライト装置にして、導光板の矩形のひとつの頂点又はその近傍に発光点を有するバックライト装置。
【請求項３０】
　請求項２９のバックライト装置にして、発光点がＬＥＤからなるバックライト装置。
【発明の詳細な説明】
【技術分野】
【０００１】
　本発明は、光源から出射された光を導く導光板と、この導光板を備えて液晶表示素子などを背面から照射するバックライト装置に関する。
【背景技術】
【０００２】
　従来、携帯電話機等の液晶表示装置を照明するため、光源から出射された光を液晶表示装置に導く導光板及びこの導光板を備え液晶表示装置を背面から照明するバックライト装置が提供されている。
【０００３】
　図１６は、従来の導光板の外観を示す図である（例えば、特許文献１参照。）。図１６（ａ）に斜視図を示し、図１６（ｂ）に上面図を示す。図１６（ａ）中には、光源の発光ダイオード１２０も同時に示す。
【０００４】
　導光板１１０は、例えばＰＭＭＡ又はポリカーボネートのような透明な材料からなり、略板状の平坦な形状を有している。そして、上面及び下面をそれぞれ出射面１１２及び反射面１１３とし、一つの側面を入射面１１１としている。反射面１１３には、入射面１１１から入射された光を出射面１１２に向けて反射するために複数の偏向パターン素子１１４による偏向パターンが形成されている。このように、側面にある入射面１１１から入射された光を主面にある出射面１１２から出射する導光板１１０をサイドエッジ方式と称し、携帯電話機等において広く使用されている。
【０００５】
　ここで偏向パターン素子１１４は相互に間隔をあけて配置されており、その長手方向が、光源１２０からの光の進行方向に対して垂直となっている。複数の光源１２０が互いに離れて配置されている場合には、各光源１２０に対応する領域に反射面１１３を分割し、各領域ごとに対応する光源１２０からの光の進行方向に垂直となるように偏向パターン素子１１４を配置する。
【０００６】
　光源１２０から出射された光は、入射面１１１から導光板１１０に入射し、反射面１１３に形成された偏向パターン素子１１４の長手方向で反射した場合は、出射面１１２の方向に偏向され、出射面１１２から出射される。また、偏向パターン素子１１４の短手方向で反射した場合は、光の進行方向が変更されるので、光源１２０（発光ダイオード）の指向性を弱める拡散効果として働き、輝線の発生を抑制する。すなわちこの場合、偏向パターン素子１１４は、出射面１１２の方向に偏向する反射機能と、輝線発生を抑止する拡散機能とを兼ねている。
【０００７】
この方式では、偏向パターン素子１１４が間隔をあけて配置されているため、長手方向の反射面で偏向する効率が低く、光源からの出射光の利用効率が低くなるという問題がある。
【０００８】
　図１７は、従来の導光板及びバックライト装置の使用態様を示す図である。
【０００９】
　導光板１１０は、液晶表示装置１４０の直下に、出射面１１２が液晶表示装置１４０の下面１４１に対向するように配置される。導光板１１０には、発光ダイオード１２０から出射された光が入射面１１１から入射される。
【００１０】
　入射面１１１から導光板１１０に入射された光は、出射面１１２に対向する反射面１１３に形成された偏向パターン素子１１４によって偏向して反射されて液晶表示装置１４０の方向に立ち上げられ、出射面１１２から出射される。
【００１１】
　一方、従来、レーザ光をディフューザを有する矩形の開口を介して感光フィルムを露光し、多数のスペックルをランダムに形成してなるホログラムが提供されている（米国特許第５，３６５，３５４号、第５，５３４，３８６号）。このホログラムにおいて、スペックルは略楕円形状を有し、楕円の長軸と短軸は、開口の矩形の短辺と長辺とフーリエ変換の関係を有する。このホログラムレーザ光を入射すると、レーザ光は各スペックルによって散乱され、露光の際に用いられた矩形状の開口を再現する。このようなホログラムを用いることで、入射光を異方的に拡散することができる。
【特許文献１】特許第３１５１８３０号
【発明の開示】
【発明が解決しようとする課題】
【００１２】
　従来の導光板においては、入射面から入射した光の内で出射面から出射される光の割合が小さく、光源から出射する光の利用効率の面で問題があった。
【００１３】
　本発明は、前述の実情に鑑みて提案されるものであって、光の利用効率の高い導光板及びこのような導光板を供えるバックライト装置を提供することを目的とする。
【課題を解決するための手段】
【００１４】
　前述の課題を解決するために、本発明に係る導光板は、側面に入射面を有し、上面又は下面に出射面を有する導光板にして、前記出射面と対向する面に設けられ、前記入射面又は出射面から、前記導光板の出射面の法線に対してある角度を成して入射する光線を受け、前記法線との成す角度が減少した光線を出射する偏向パターンであって、複数の同心円に沿ってそれぞれ形成された複数の円弧状偏向パターン素子を有する偏向パターンと、前記出射面に設けられ、前記偏向パターンからの光線であって、前記出射面の法線に対して所定角度以上の角度を成す光線を、前記同心円の円弧の半径方向に比較して円周方向へ大きく拡散して透過する異方性拡散パターンと、を有する。
【００１５】
　各偏向パターン素子は、円弧状溝又は円弧状隆起部を有することが好ましい。
【００１６】
　各偏向パターン素子は、円弧状傾斜面を有することが好ましい。
【００１７】
　前記偏向パターンは、複数の同心円に沿ってそれぞれ形成された複数の円弧状傾斜面を備えることが好ましい。
【００１８】
　前記円弧状傾斜面は、円弧状の溝又は隆起部に設けられることが好ましい。
【００１９】
　前記異方性拡散パターンは、サーフェスレリーフホログラムを有することが好ましい。
【００２０】
　導光板は、概略矩形の形状を有し、複数の同心円の中心は、矩形の頂点又はその近傍に位置することが好ましい。
【００２１】
　導光板は、概略矩形の形状の頂点に、入射面としての切欠面を有することが好ましい。
【００２２】
前記入射面は、光を広げるためのプリズム、ヘアラインなどの微細凹凸形状が成形されていることが好ましい。
【００２３】
　また、前記入射面は、円筒形状を有することが好ましい。
【００２４】
　また、本発明に係るバックライト装置は、バックライト装置にして、前記導光板と、複数の同心円に沿ってそれぞれ形成された複数の屈折面を有するプリズムフィルムであって、各屈折面は、前記出射面からの光線を、前記出射面の法線方向へ偏向するプリズムフィルムと、を有する。
【００２５】
　導光板は、矩形の形状を有し、複数の同心円の中心は、矩形の頂点又はその近傍に実質的に一つの発光点を有することが好ましい。
【００２６】
　実質的に一つの発光点は、一つのＬＥＤからなることが好ましい。
【００２７】
　また、本発明に係る導光板は、複数の同心円に沿ってそれぞれ形成された複数の円形反射溝を備える反射面と、前記各円形反射溝からの反射光を、前記同心円の半径方向に比べて円周方向へ大きく拡散して透過するサーフェスレリーフホログラムを一体的に成形した出射面と、を有する。
【００２８】
　前記円形反射溝は、途切れることのない連続溝から成り、前記反射溝は、光源を向く円弧状傾斜面を有することが好ましい。
【００２９】
　前記円弧状傾斜面側の導光板平面に対する傾斜角度α１は、側面の入射面から入力された光が上下面で所定回数反射された後、出射面に対する光線の入射角が臨界角以下となることにより、出射面から出射される様に、０．５度〜５度であることが好ましい。
【００３０】
　拡散光の光束の縦横比は、１：１８０〜１：３の範囲にあることが好ましい。
【００３１】
　前記サーフェスレリーフホログラムは、同心円の半径方向に長い線状の複数のランダムスペックル領域を有することが好ましい。
【００３２】
　前記導光板は、前記拡散して透過された光を導光板平面の法線方向へ偏向するプリズムシートを更に有することが好ましい。
【００３３】
　さらに、本発明の導光板は、一つの頂点近傍に形成された入射面からの光が入射され、この光を出射面から出射する板状の導光板において、前記出射面に対向する面に形成され、前記入射面に入射された光を前記出射面に反射する、前記頂点近傍を中心とする円周に沿って連続した反射溝と、前記出射面に形成され、前記反射溝で反射された光を前記円周の半径方向に比べて円周方向に大きく拡散するディフューザと、を有する。
【００３４】
　前記ディフューザは、前記円周の径方向を長手方向とする複数のスペックルを有するホログラムであることが好ましい。
【００３５】
　前記入射面は、出射面に直交する法線方向を軸とする円筒形状に成形されていることが好ましい。
【００３６】
　また、本発明のバックライト装置は、前記入射面は、出射面に直交する法線方向を軸とする円筒形状に成形されている導光板を有するバックライト装置にして、光源の発光点と導光板の入射面との間の距離が０．３５ｍｍ以下にされている。
【００３７】
　また、本発明に係る導光板は、出射面と、該出射面に対向する反射面とを有する矩形の導光板であって、前記反射面は、複数の同心円状に配置された途切れることのない連続傾斜面を有し、前記傾斜面の反射面に対する傾斜角度α１が４０〜５０度であり、前記同心円の中心は、前記導光板の矩形のひとつの頂点又はその近傍に位置し、前記出射面は、該出射面の法線に対して所定角度以下の角度を成して前記偏向パターンから入射する光線を拡散して透過する異方性拡散パターンを有し、該異方性拡散パターンは、前記偏向パターンから入射する光線を前記同心円の円弧の半径方向への拡散幅よりも、該半径方向と直交する方向への拡散幅が大きくなるように拡散するものであることを特徴とする。
【００３８】
　前記反射面において、前記傾斜面と前記傾斜面の間に平面部を有することが好ましい。
【００３９】
　発光点から遠くなるに従って前記傾斜面のピッチが小さくなることが好ましい。
【００４０】
　前記傾斜角度α１は、前記出射面に対して４０〜５０度であることが好ましい。
【００４１】
　前記異方性拡散パターンは、サーフェスレリーフホログラムを有することが好ましい。
【００４２】
　前記サーフェスレリーフホログラムは、同心円の半径方向に長い線状の複数のランダムスペックル領域を有することが好ましい。
【００４３】
　前記サーフェスレリーフホログラムが導光板の出射面に一体的に成形されていることが好ましい。
【００４４】
　拡散光の光束の縦横比は、１：１８０〜１：３の範囲にあることが好ましい。
【００４５】
　前記入射面は、光を広げるためのプリズム、ヘアラインなどの微細凹凸形状が成形されていることが好ましい。
【００４６】
　本発明に係るバックライト装置は、前記導光板を有する。
【００４７】
　前記導光板の矩形のひとつの頂点又はその近傍に発光点を有することが好ましい。
【００４８】
　発光点がＬＥＤからなることが好ましい。
【発明の効果】
【００４９】
　前述のように、本発明によると、導光板及び導光板を備えるバックライト装置における光の利用効率を高めることができる。
【発明を実施するための最良の形態】
【００５０】
　以下、本発明に係る導光板及びバックライト装置の実施形態について図面を参照して詳細に説明する。
【００５１】
　本実施の形態においては、簡単のため、幾つかの異なる図面において共通の指示符合によって同一の部材を示す。また、本実施の形態の図面は、本発明の内容を説明するために用いられるものであり、各部の寸法の比率を正確に反映するものではない。
【００５２】
　また、参照の便宜上、図中にｘｙｚ直交座標系を設定する。すなわち、導光板における光の進行方向に導光板の上面又は下面の２つの辺に沿ってｘ軸及びｙ軸を設定し、出射面の法線方向にｚ軸を設定する。また、ｚ軸の正負方向を上下と称する。
【００５３】
〔第１の実施の形態〕
　まず、本発明に係る第１の実施の形態について説明する。第1の実施の形態においては、概略矩形形状の導光板の頂点の一つの側面に形成された切欠面（アール形状）を入射面として、一つの光源から導光板に入射した光は、導光板内を全反射を繰り返しながら進み、反射溝で反射する度に次第に角度を立ち上げられて出射面に対する角度が次第に小さくなり、臨界角に達すると出射面から出射する。
【００５４】
　図１は、第１の実施の形態の導光板の概略を示す。図中には、光源となる発光ダイオード（ＬＥＤ）２０も同時に示す。
【００５５】
　図１（ａ）は導光板１０の上面図、図１（ｂ）は導光板１０の正面図、図１（ｃ）は導光板１０の斜視図である。
【００５６】
　導光板１０は、ＬＥＤ２０からの光を入射させる入射面１１と、入射面１１からの入射光又は出射面１２からの反射光を反射する反射面１３と、光を上方に出射する出射面１２と、を有する。
【００５７】
　より詳細には、導光板１０は、例えばＰＭＭＡ等のアクリル樹脂、ポリオレフィン又はポリカーボネートのような一定の屈折率を有する透明な材料からなり、略矩形状の上面及び下面を有する略板状の形状を有する。
【００５８】
　入射面１１は、前記矩形形状の頂点の一つに形成されたアール形状（又は円弧形状）を有する。換言すれば、入射面１１は、前記頂点近傍を軸とするｚ方向に伸びる所定半径の円筒の一部で構成される。これにより、ＬＥＤ２０からの光は、導光板１０へ効率的に入射される。
【００５９】
　なお、この入射面１１は、前記円筒面に限られず、平面であることも出来る。この場合、この平面は、例えば前記矩形形状の対角線に直交する、前記円筒面の接平面と平行な面であることが好ましい。
【００６０】
　また、入射面１１には、光を広げるためのプリズム、ヘアラインなどの微細凹凸形状を成形してもよい。
【００６１】
　反射面１３は、概略、前記導光板１０のｘｙ平面と平行な下面に形成される。
【００６２】
　そして反射面１３は、前記頂点又はその近傍に位置する点ｏを中心とする同心円状の複数の連続した偏向パターン素子としての反射溝（円弧状偏向パターン素子又は円弧状溝）１４を有する。この反射溝１４は、導光板１０の一つの側面１０ａから他の側面１０ｂまで連続して形成される。また、反射面１４の大部分が光の反射に使用される。したがって、本実施形態のような反射溝１４を形成した反射面１３は、入射された光を出射面１２方向に反射する効率が高く、導光板１０の光利用効率を高める。
【００６３】
　なお、反射溝１４は、前述のような同心円状に限られず、他の曲線の形状とすることもできる。例えば、楕円形状とすることもできる。
【００６４】
　図２は、反射溝１４を含む導光板１０の詳細断面を示す。
【００６５】
同図に示すように、反射溝１４は、光源を向く円弧状傾斜面である第１の傾斜面１４ａと第２の傾斜面１４ｂとを有する。第１の傾斜面１４ａは、出射面１２に対して所定の有限角度α１（傾斜角度）を有する。同様に、第２の傾斜面１４ｂは、出射面１２に対して所定の有限角度α２（傾斜角度）を有する。図中で、符号ｐは反射溝１４の幅を示している。以下でも同様である。
【００６６】
　図３は、第１の傾斜面１４ａの作用を示す。
【００６７】
　同図に示すように、第１の傾斜面１４ａは、出射面１２と角度ψ１をなして入射面１１に入射された光を、出射面１２に対して角度ψ２を成す光へ立ち上げる（偏向する）。すなわち、出射面１２の法線に対してある角度をなして第１の傾斜面１４ａへ入射した光は、前記法線とのなす角度が減少して反射される。
【００６８】
　第１の傾斜面１４ａで立ち上げられた光は、出射面１２の法線となす角度が臨界角より小さくなると出射面１２から出射される（図３に於いて点ｘ１）。
【００６９】
　したがって、第１の傾斜面１４ａと出射面１２のなす角α１は小さい方が好ましい。すなわち、角α１が小さいほど、光は、第１の傾斜面１４ａとの反射により徐々に立ち上げられ、出射面１２からの出射光の出射角（出射面の法線と出射光とのなす角）は、常に臨界角とほぼ等しい角度となる。従って、出射面１２から出射される光の方向は整列される。
【００７０】
　第1の傾斜面１４ａと出射面１２のなす角度α１（傾斜角度）は、０．５〜５度であり、好ましくは０．５〜３度であり、さらに好ましくは１〜３度である。
【００７１】
　なお、第２の傾斜面１４ｂは、前記反射作用は有さず、反射作用の観点からは出来るだけ大きい方が好ましいが、後述する導光板１０を成形する際の型抜きを容易にする点から９０度以下が好ましい。第２の傾斜面１４ｂは、好ましくは８０〜９０度であり、さらに好ましくは８７〜８９度である。
【００７２】
　また、図２に示すように隣接する反射溝１４間の間隔ｐは、一定であることが出来、好ましくは３０〜５００μｍであり、さらに好ましくは２００〜４００μｍであり、さらに好ましくは２５０〜３００μｍである。なお、前記間隔ｐを一定にすると液晶表示素子のセル配置との干渉によってモアレの出現が現れることがあるので、前記間隔を意図的にランダムに設定することもできる。
【００７３】
　なお、導光板１０の出射面１２と反射面１３の距離ａ（図２）は、０．３〜３．０ｍｍ、好ましくは０．５〜１．０ｍｍ、より好ましくは０．６〜０．８ｍｍである。
【００７４】
　前記構成により、図３に示すように、発光ダイオード２０から入射面１１に入射した光は、出射面１２の法線となす角が臨界角に達するまでは出射面１２と反射面１３で全反射を繰り返しながら導光板１０の内部を進み、出射面１２との法線のなす角が臨界角に達すると出射面１２から出射する。
【００７５】
　出射面１２は、導光板１０の、ｘｙ平面と平行な導光板１０の上面に形成される。
【００７６】
　出射面１２には、異方性を有する異方性拡散パターンとしてのホログラムが形成されている。このホログラムは、３次元的に形成されたホログラムと区別するためにサーフェスレリーフホログラムと称される。
【００７７】
　図４及び図５は、出射面に形成されたホログラム２２の詳細を示す拡大図である．
　図４はホログラムを２００倍に拡大した拡大図であり、図５はホログラムをさらに拡大した拡大図である。
【００７８】
　図４に示すように、ホログラムは、２００倍程度に拡大して見た場合、同心円状の反射溝１４の径方向ｒに沿って伸びる線状（あるいは非常に細い楕円状）の多数のランダムスペックル又は周囲に比べて透過率が高い領域又は低い領域がランダムに配置されて成り、例えばランダムな溝或いはランダムな凹凸からなるランダムスペックル領域２２ａを有する。
【００７９】
　ここに、ランダム配置とは、スペックル領域の形状及び位置がホログラム全体において一定で無く、ランダム性を有することを意味する。
【００８０】
　後述するように、ホログラムに入射した光は、線状スペックル２２ａにより、半径方向と比較して円周方向に強く拡散される。円周方向と径方向の拡散度の拡散比は、スペックルの長軸及び短軸の寸法によって決定される。
【００８１】
　また、スペックル２２ａのランダム性により、ホログラム２２への入射光は、ランダムな方向へ散乱或いは透過される。従って、ホログラムはディフューザとしての機能を有する。
【００８２】
　図６は、ホログラムの作用をより詳細に説明する図である。
【００８３】
　図６（ａ）は、導光板１０の出射面１２の点Ｐ１，Ｐ２，Ｐ３から出射された光の強度の角度依存性を示す上面図である。図６（ｂ）は、導光板１０の出射面１２の点Ｐ２から出射された光の強度分布を立体的に示す斜視図である。
【００８４】
　導光板１０の出射面１２の点Ｐ１，Ｐ２，Ｐ３から出射された光は、出射面１２に形成されたホログラムによって、楕円Ｅ１，Ｅ２，Ｅ３に示すように前記同心円の円弧の径方向ｒと比較して円弧の円周方向θに強く拡散される。
【００８５】
　図７は、前記出射光の強度分布を示す。図７（ａ）は前記θ方向における前記出射光の強度分布を示し、図７（ｂ）は前記ｒ方向における前記出射光の強度分布を示す。
【００８６】
　上記したように、径方向ｒと比較して周方向θに強く拡散され、θ方向に於ける拡散角Φθの半値幅Φθ０は、ｒ方向に於ける拡散角Φｒの半値幅Φｒ０よりも十分に大きい（Φθ０＞＞Φｒ０）。
【００８７】
　前記ｒ方向の半値幅Φｒ０は、０＜Φｒ０≦５度が望ましく、０＜Φｒ０≦１度が更に好ましい。一方、θ方向の半値幅Φθ０は、５〜７０度が望ましく、５〜３０度が更に望ましく、５〜１０度が更に好ましい。
【００８８】
　前記半値幅Φθ０と半値幅Φｒ０の比（或いは楕円Ｅ１，Ｅ２，Ｅ３の長軸方向と短軸方向の比）は、１：１８０から１：３の範囲にあるのが好ましい。
【００８９】
　なお、図６（ａ）及び（ｂ）の点Ｃ１，Ｃ２，Ｃ３は、参考のために、出射面１２に等方的拡散素子を設けた場合に点Ｐ１，Ｐ２，Ｐ３から出射された光の強度分布を示す。この場合、出射面から出射された光は、円Ｃ１，Ｃ２，Ｃ３で表される等方的強度分布を有する。
【００９０】
　要するに、このホログラムは、出射面１２から射出される光を前記同心円の円弧の径方向に比較して円周方向へ大きく拡散して透過する。
【００９１】
　前記ホログラムの異方性拡散作用により、この導光板１０においては、θ方向における一様な出射光の強度分布が実現される。就中、出射面１２からの出射光における輝線の出現が防止される。
【００９２】
　図８は、前記等方的拡散素子を出射面に設けた場合に、出射面１２からの出射光に出現する輝線を示す。
【００９３】
　反射面１３に於ける連続する反射溝１４によって反射された光は、視点Ｖ０に到達する多数の経路を有する。従って、視点Ｖ０から導光板１０を見たとき、発光ダイオード２０と視点Ｖ０を結ぶ線上に輝線ＢＬが現れる。
【００９４】
　本実施形態の導光板１０においては、出射面１２に形成されたホログラム２２が前記ｒ方向に比較して前記θ方向に強く（異方的に）光を拡散する。従って視点Ｖ０から光源方向を見たとき、視点Ｖ０に向かう光線強度が抑制され、前記輝線ＢＬの出現が防止される。
【００９５】
　また、上記構成によれば、ｒ方向における出射光の拡散角が抑制されることにより、ディフューザとしてのホログラムによるｒ方向の臨界角の変動が抑制され、以て出射角の一様性が担保される。
【００９６】
　図９は、ホログラム２２の製造装置の概略を示す模式図である。
【００９７】
　この装置は、Ｚ方向に所定波長のレーザ光を出射する図示しないレーザ光源と、Ｘ方向にスリット状（例えば１ｍｍ幅）の第１開口８１ａを有する第１遮蔽板８１と、Ｙ方向に開いた三角形状の第２開口８２ａを有する第２遮蔽板８２と、−Ｙ方向に開いた三角形状の第３開口８３ａを有する第３遮蔽板８３と、例えばフォトポリマーからなる感光性フィルム８４を固定・回転する円形テーブル８５と、円形テーブル８５を軸中心の回りに回転自在に支持する支持部材８７と、支持部材８７を固定・支持する第１スライダ８８と、第１スライダ８８をＺ軸方向に移動自在に支持する第２スライダ８９と、第２スライダをＹ軸方向に移動自在に支持する基台９０とを有する。なお、遮蔽板８２と８３との間には、適宜の集束レンズ（図示せず）が設けてある。
【００９８】
　そして前記開口８１ａには、レーザ光Ｌを拡散して透過する磨りガラスの如きディフューザが設けてある。
【００９９】
　第１及び第２開口８１ａ，８２ａの組み合わせは、前記レーザ光に対して、所定長さを有する線状開口（或いは細長矩形開口）２０１として作用する。すなわち、この線状開口（或いは細長矩形開口）２０１は、第１開口８１ａの幅を短辺とし、第２開口８２ａが前記開口８１ａと重なるＸ方向の距離を長辺とする。
【０１００】
　なお、前記基台９０に対して第２スライダ８９をＹ軸方向へ移動することにより、或いは、第２スライダ８９に対して遮蔽板８２をＹ軸方向へ移動することにより、前記線状開口の長さを変更することができる。
【０１０１】
　前記構成により、前記線状開口（或いは細長矩形開口）２０１から出射され感光性フィルム８４に入射される光線は、概略、それぞれの断面形状が横長の線状（又は細長楕円形）を有する複数のランダムスペックルを備えた光ビームとなる。
【０１０２】
　第３遮蔽板８３は、前記光ビームのうち第３開口８３ａに位置する光ビームを透過する。従って、感光性フィルム８４の位置には、開口８３ａを透過した光ビームによる光スポットが形成される。
【０１０３】
　上記構成により、支持部材８７に対してテーブル８５を回転することにより、感光性フィルム８４の所望の円周方向位置β１（図１０）へ前記光スポットを形成することができる。また、基台９０に対して第２スライド８９をＹ軸方向へ移動することにより、概略、感光性フィルム８４の所望の半径方向位置ｒ１（図１０）へ前記光スポットを形成することができる。
【０１０４】
　従って、テーブル８５を所望位置へ回転すると共に、支持部材８７を所望のＹ軸方向位置へ位置ぎめすることにより、感光性フィルムの所望領域８４ａ（図１０）へレーザ光の光スポットを形成することが出来る。ところでレーザ光Ｌは、第１開口８１ａを透過する際、前記ディフューザによって拡散される。
【０１０５】
　前記ディフューザによって拡散されたレーザ光は、感光性フィルム８４において略楕円状（或いは線状）の多数のランダムスペックルを形成する。このランダムスペックルの短軸と長軸の平均寸法は、前記矩形の長辺と短辺の寸法にそれぞれ対応し、前記長軸と前記長辺の方向は直交する。より具体的には、前記長辺及び短辺をＬ、Ｗとすると、前記短軸及び長軸の平均寸法は、λｈ／Ｌ、λｈ／Ｗとなる。ここに、λはレーザ光の波長であり、ｈは開口８１ａと感光性フィルムとの距離である。
【０１０６】
　従って、図１０に示す感光性フィルムの所望領域８４ａへ、前記ディフューザで拡散された光を照射することにより、当該所望領域８４ａに前記多数のランダムスペックルを形成することができる。このランダムスペックルは、概略、前記回転テーブル８１の回転中心に対応する感光性フィルムの点を中心する円の半径方向に伸びる線状又は細長楕円形状を有する。
【０１０７】
　前記ホログラムの製造に当たっては、各領域８４ａに対して露光を繰り返す多重露光を行うことにより、感光性フィルム８４の全体を露光する。
【０１０８】
　露光したホログラムを現像すると、スペックルが凹凸によって形成されたマスターホログラムが得られる。このように作製したマスターホログラムを導光板の成型に用いる金型の出射面の部分に転写する。そして、マスターホログラムを転写した金型を用いて導光板を射出成型することにより、導光板の出射面にホログラムを一体成型することができる。
【０１０９】
　図１１は、前記導光板及び光学シート（プリズムフィルム）を有するバックライト装置（又は面光源装置）の一部を示す図である。
【０１１０】
　図１２は、光学シートを示す上面図である。
【０１１１】
　図１１及び１２に示すように、光学シート（プリズムフィルム）５０は、例えばアクリル樹脂、ポリオレフィン又はポリカーボネートのような透明な材料からなり、平坦な上面５１に対向する下面５２に、同心円状に連続するプリズム状の構造をなす面５３を有している。上記光学シートは、ポリエチレンテレフタレートフィルム等の上に、光硬化性樹脂でプリズム形状を形成したものでもよい。この光学シート５０は、導光板１０の反射面１３に形成された同心円状の反射溝１４の中心をその同心円の中心とほぼ一致するように、導光板１０の出射面１２上に設置される。プリズム面は導光板側を向ける場合と反対側に向ける場合の両方がありうる。導光板からの出射光の角度とプリズム頂角との関係から好ましい方を選択すればよい。
【０１１２】
　上記構成により、導光板１０及び光学シート５０を有するバックライト装置において、導光板１０の出射面１２から出射された光は、出射面１２となす角度γ１，γ２が小さい成分の光Ｌ１，Ｌ２を含んでいる。光学シート５０は、導光板１０の出射面１２となす角度が小さい光Ｌ１，Ｌ２が下面５２から入射されると、上面５１と大きな角度をなすように偏向して出射する（Ｌ１´，Ｌ２´）。このように、光学シート５０は、液晶表示装置に出射される光の正面強度を向上させる。光学シートのプリズム構造面を導光板側と反対方向に向けた配置でも、適当なプリズム頂角を選択することにより同様の効果を得ることができる。
【０１１３】
　前記バックライト装置（又は面光源装置）は、携帯電話・電子手帳等の液晶表示装置に於いて、バックライトとして使用することが出来る。
【０１１４】
〔第２の実施の形態〕
　次に、本発明の第２の実施の形態について説明する。第２の実施の形態においては、概略矩形形状の導光板の頂点の一つの側面に形成された切欠面を入射面として、一つの光源から導光板に入射した光は、導光板内を全反射を繰り返しながら進み、反射溝で反射されると出射面から小さい出射角で出射する。
【０１１５】
　なお、本実施の形態は、反射溝を除くと前述の第１の実施の形態と同様の構成を有するので、共通する部分については同一の符号を附して説明を省略する。
【０１１６】
　図１３は、第２の実施形態の導光板の概略を示す。図中には、光源の発光ダイオード（ＬＥＤ）２０も同時に示す。
【０１１７】
　図１３（ａ）は導光板１０の上面図、図１３（ｂ）は導光板１０の正面図、図１３（ｃ）は導光板１０の斜視図である。
【０１１８】
　導光板１０は、ＬＥＤ２０からの光を入射させる入射面１１と、入射面１１からの入射光又は出射面１２からの反射光を反射する反射面１３と、光を上方に出射する出射面１２と、を有する。
【０１１９】
　より詳細には、導光板１０は、例えばＰＭＭＡ、ポリオレフィン又はポリカーボネートのような一定の屈折率を有する透明な材料からなり、略矩形状の上面及び下面を有する略板状の形状を有する。
【０１２０】
　入射面１１は、前記矩形形状の頂点の一つに形成される。入射面１１は、前記頂点近傍を軸とするｚ方向に伸びる所定半径の円筒の一部で構成してもよい。
【０１２１】
　なお、この入射面１１は、前記円筒面に限られず、平面であることも出来る。この場合、この平面は、例えば前記矩形形状の対角線に直交する、前記円筒面の接平面と平行な面であることが好ましい。また入射面１１には、光を広げるためのプリズム、ヘアラインなどの微細凹凸形状を成形してもよい。
【０１２２】
　反射面１３は、概略、前記導光板１０のｘｙ平面と平行な下面に形成される。そして反射面１３は、前記頂点又はその近傍に位置する点ｏを中心とする同心円状の複数の連続した傾斜面１４を有する。この傾斜面１４は、導光板１０の一つの側面１０ａから他の側面１０ｂまで連続して形成される。
【０１２３】
　図１４は、傾斜面１４を含む反射面１３の詳細断面を示す。
【０１２４】
　同図に示すように、反射面１３は、平面部と傾斜面１４が交互に配置されて成る。傾斜面１４は、光源を向く第１の傾斜面１４ａと光源とは反対方向を向く第２の傾斜面１４ｂとを有する。第１の傾斜面１４ａは、反射面１３に対して所定の有限角度α１（傾斜角度）を有する。同様に、第２の傾斜面１４ｂは、反射面１３に対して所定の有限角度α２（傾斜角度）を有する。図中で、符号ｐ，ｐ´はそれぞれ反射溝１４の幅と間隔（ピッチ）を示す。
【０１２５】
　なお、図１４では第１の傾斜面１４ａと第２の傾斜面１４ｂは、反射面１３に対して凹部を形成するように書かれているが、逆に反射面１３に対して凸部を形成するようにしても良い。
【０１２６】
　図１５は、第１の傾斜面１４ａの作用を示す。
【０１２７】
　同図に示すように、第１の傾斜面１４ａは、図１５に出射面１２と角度ψ１をなして入射面１１に入射された光を、出射面１２に対して角度ψ２を成す光へ立ち上げる。
【０１２８】
　ここで、α１を４０から５０度の範囲とすることにより、第１の傾斜面１４ａに当たった光は、出射面１２の法線となす角度が臨界角より小さくなり、出射面１２から出射される。この場合、出射光は、出射面１２の法線方向に近い角度で出射する。したがってこの導光板によれば、プリズムシートなどの偏向フィルムを用いなくても、正面輝度（出射面１２の法線方向の輝度）の高いバックライトが得られる。一方、平面部に当たった光は前記法線とのなす角度が変化しないので、出射面１２から出射することなく、導光板１０の内部を導波し続ける。
【０１２９】
　なお、第２の傾斜面１４ｂは、後述する導光板１０を成形する際の型抜きを容易にする点から９０度以下が好ましい。第２の傾斜面１４ｂは、好ましくは８０〜９０度であり、さらに好ましくは８７〜８９度である。
【０１３０】
　また、図１４に示すように隣接する反射溝１４間の間隔ｐ´は、出射光分布が均一となるよう光源からの距離に応じて場所ごと変えてもよい。あるいは、間隔ｐ´を一定とし、反射溝または反射隆起部の幅ｐを光源からの距離に応じて場所ごと変えてもよい。この場合、反射溝の深さ、または反射隆起部の高さが場所ごとに変化することになる。
【０１３１】
　なお、上述の実施の形態は、本発明の一具体例を示すものであり、本発明はこれに限定されない。本発明の範囲を逸脱しない限り、種々の対象に適用することができる。また、実施例中に示した数値は、一例に過ぎず、本発明がこれに限定されないことはいうまでもない。
【０１３２】
　例えば、前記光源は、実質的に点光源であればよく、１チップＬＥＤでも、２チップＬＥＤでも、多チップＬＥＤでもよい。また、反射溝の形状は円に限らず、適切な曲線、例えば楕円形状とすることができる。
【図面の簡単な説明】
【０１３３】
【図１】第１の実施の形態の導光板を示す図であり、（ａ）は上面図、（ｂ）は正面図、（ｃ）は斜視図をそれぞれ示す。
【図２】導光板の各部の寸法を示す図である。
【図３】導光板における光路を示す図である。
【図４】出射面に形成されたホログラムを２００倍に拡大したものである。
【図５】図４に示したホログラムをさらに拡大したものである。
【図６】ホログラムの性質を説明する図であり、（ａ）は導光板の出射面１２の点Ｐ１，Ｐ２，Ｐ３から出射された光の強度の角度依存性を示す上面図、（ｂ）は導光板１０の出射面１１の点Ｐ２から出射された光の強度分布を立体的に示す斜視図である。
【図７】ホログラムの光拡散特性の異方的な角度依存性を示す図であり、（ａ）はθ方向における出射光の光強度の角度依存性を示す図であり、（ｂ）はｒ方向の出射光の光強度の角度依存性を示す図である。
【図８】ホログラムに入射される直前の光に現れた輝線を示す図である。
【図９】本実施形態のホログラムを製造する装置の構成を示す斜視図である。
【図１０】ホログラムにおけるレーザ光を照射する領域を示す図である。
【図１１】導光板及び光学シート（プリズムフィルム）で構成されたバックライト装置の一部を示す図である。
【図１２】光学シートを示す図である。
【図１３】第２の実施の形態の導光板を示す図であり、（ａ）は上面図、（ｂ）は正面図、（ｃ）は斜視図をそれぞれ示す。
【図１４】導光板の各部の寸法を示す図である。
【図１５】導光板における光路を示す図である。
【図１６】従来の導光板の外観を示す図である。
【図１７】従来の導光板を示す正面図である。
【符号の説明】
【０１３４】
　１０　導光板
　１１　入射面
　１２　出射面
　１３　反射面
　１４　反射溝
　２０　発光ダイオード
【図１】
2004111384.tif 000003
【図２】
2004111384.tif 000004
【図３】
2004111384.tif 000005
【図６】
2004111384.tif 000006
【図７】
2004111384.tif 000007
【図８】
2004111384.tif 000008
【図９】
2004111384.tif 000009
【図１０】
2004111384.tif 000010
【図１１】
2004111384.tif 000011
【図１２】
2004111384.tif 000012
【図１３】
2004111384.tif 000013
【図１４】
2004111384.tif 000014
【図１５】
2004111384.tif 000015
【図１６】
2004111384.tif 000016
【図１７】
2004111384.tif 000017
【図４】
2004111384.tif 000018
【図５】
2004111384.tif 000019